【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
ジョブを順に実行するジョブ処理装置であって、
実行対象のジョブの中断要因が発生した場合に、前記ジョブの中断要因が解消していない状態が所定時間継続したかどうかを判定する判定手段と、
前記判定手段によって前記ジョブの中断要因が解消していない状態が所定時間継続したと判定された場合に、前記ジョブに後続する後続ジョブを前記ジョブに優先して実行するジョブ実行手段とを有し、
前記ジョブの中断要因が解消していない状態が所定時間経過する前に、前記後続ジョブを優先して実行しない指示がある場合には、前記ジョブ実行手段は、前記後続ジョブを優先して実行しないことを特徴とするジョブ処理装置。
【請求項２】
ジョブを順に実行するジョブ処理装置であって、
実行対象のジョブの中断要因が発生した場合に、前記ジョブの中断要因が解消していない状態が所定時間継続したかどうかを判定する判定手段と、
前記判定手段によって前記ジョブの中断要因が解消していない状態が所定時間継続したと判定された場合に、前記ジョブに後続する後続ジョブを前記ジョブに優先して実行するジョブ実行手段と、
前記ジョブの中断要因の解消に関する所定の動作を実行しているかどうかを判断する判断手段とを有し、
前記ジョブ実行手段は、前記判断手段が前記ジョブの中断要因の解消に関する所定の動作を実行していると判断した場合には、前記後続ジョブを優先して実行しないことを特徴とするジョブ処理装置。
【請求項３】
前記ジョブ処理装置は、用紙を補給するための給紙手段、消耗材を補充するための開閉扉の少なくともいずれか１つを含み、
前記給紙手段は、用紙を給紙可能な高さまでリフトアップするリフタ手段、給紙手段の温度調整をするためヒータ手段、前記用紙の捌きを調整するための送風手段の少なくともいずれか１つを備えることを特徴とする請求項２記載のジョブ処理装置。
【請求項４】
前記ジョブの中断要因の解消に関する所定の動作は、
前記給紙手段が前記リフタ手段を備える場合には、当該給紙手段がリフトアップする動作と、
前記給紙手段が前記ヒータ手段を備える場合には、当該給紙手段のヒータによる温度調整をするための動作と、
前記給紙手段が前記送風手段を備える場合には、空気の送風による紙捌きを安定した状態にするための動作と、
消耗材を補充するための開閉扉を備える場合には、扉の開閉するための動作の少なくともいずれか１つであることを特徴とする請求項３に記載のジョブ処理装置。
【請求項５】
前記所定時間をカウントするカウント手段をさらに有し、
前記カウント手段は、前記判断手段が前記ジョブの中断要因の解消に関する所定の動作をしていると判断した場合は、前記所定時間のカウントを延長することを特徴とする請求項２乃至４のいずれか１項に記載のジョブ処理装置。
【請求項６】
前記所定時間をカウントするカウント手段をさらに有し、
前記カウント手段は、前記判断手段が前記ジョブの中断要因の解消に関する所定の動作をしていると判断した場合は、前記カウントを制限することを特徴とする請求項２乃至４のいずれか１項に記載のジョブ処理装置。
【請求項７】
前記ジョブの中断要因を表示する表示手段を有することを特徴とする請求項１乃至６のいずれか１項に記載のジョブ処理装置。
【請求項８】
前記消耗材は、前記ジョブ処理装置に接続して後処理を行うシート処理装置の消耗材、及び、前記ジョブ処理装置がジョブを実行することによって行われる画像形成処理で消耗される消耗材の少なくともいずれか１つを含むことを特徴とする請求項３または４に記載のジョブ処理装置。
【請求項９】
前記消耗材は、前記シート処理装置で使用する針材、及び、糊材の少なくともいずれか１つを含むことを特徴とする請求項８に記載のジョブ処理装置。
【請求項１０】
ジョブを順に実行するジョブ処理装置であって、
実行対象のジョブの中断要因が発生した場合に、前記ジョブに後続する後続ジョブを前記ジョブに優先して実行するジョブ実行手段と、
前記後続ジョブを優先して実行しない指示があるかどうかを判断する判断手段と、を有し、
前記ジョブの中断要因が発生した後に、前記判断手段が前記後続ジョブを優先して実行しない指示があると判断した場合には、前記ジョブ実行手段は、前記ジョブの中断要因が解消した後、前記後続ジョブを優先して実行せずに、前記ジョブを実行することを特徴とするジョブ処理装置。
【請求項１１】
ジョブを順に実行するジョブ処理装置であって、
実行対象のジョブの中断要因が発生した場合に、前記ジョブに後続する後続ジョブを前記ジョブに優先して実行するジョブ実行手段と、
前記ジョブの中断要因の解消に関する所定の動作を実行しているかどうかを判断する判断手段と、を有し、
前記ジョブの中段要因が発生した後に、前記判断手段が前記ジョブの中断要因の解消に関する所定の動作を実行していると判断した場合には、前記ジョブ実行手段は、前記ジョブの中断要因が解消した後、前記後続ジョブを優先して実行せずに、前記ジョブを実行することを特徴とするジョブ処理装置。
【請求項１２】
ジョブを順に実行するジョブ処理装置の制御方法であって、
実行対象のジョブの中断要因が発生した場合に、前記ジョブの中断要因が解消していない状態が所定時間継続したかどうかを判定する判定工程と、
前記判定工程によって前記ジョブの中断要因が解消していない状態が所定時間継続したと判定された場合に、前記ジョブに後続する後続ジョブを前記ジョブに優先して実行するジョブ実行工程とを有し、
前記ジョブの中断要因が解消していない状態が所定時間経過する前に、前記後続ジョブを優先して実行しない指示がある場合には、前記ジョブ実行工程によって前記後続ジョブを優先して実行しないことを特徴とするジョブ処理装置の制御方法。
【請求項１３】
ジョブを順に実行するジョブ処理装置の制御方法であって、
実行対象のジョブの中断要因が発生した場合に、前記ジョブの中断要因が解消していない状態が所定時間継続したかどうかを判定する判定工程と、
前記判定工程によって前記ジョブの中断要因が解消していない状態が所定時間継続したと判定された場合に、前記ジョブに後続する後続ジョブを前記ジョブに優先して実行するジョブ実行工程と、
前記ジョブの中断要因の解消に関する所定の動作を実行しているかどうかを判断する判断工程とを有し、
前記判断工程が前記ジョブの中断要因の解消に関する所定の動作を実行していると判断した場合に、前記ジョブ実行工程によって前記後続ジョブを優先して実行しないことを特徴とするジョブ処理装置の制御方法。
【請求項１４】
請求項１２または１３に記載のジョブ処理装置の制御方法をコンピュータに実行させることを特徴とするプログラム。
【手続補正２】
【補正対象書類名】明細書
【補正対象項目名】０００８
【補正方法】変更
【補正の内容】
【０００８】
上記目的を達成する本発明の画像形成装置は以下に示す構成を備える。
ジョブを順に実行するジョブ処理装置であって、実行対象のジョブの中断要因が発生した場合に、前記ジョブの中断要因が解消していない状態が所定時間継続したかどうかを判定する判定手段と、前記判定手段によって前記ジョブの中断要因が解消していない状態が所定時間継続したと判定された場合に、前記ジョブに後続する後続ジョブを前記ジョブに優先して実行するジョブ実行手段とを有し、前記ジョブの中断要因が解消していない状態が所定時間経過する前に、前記後続ジョブを優先して実行しない指示がある場合には、前記ジョブ実行手段は、前記後続ジョブを優先して実行しないことを特徴とする。
また、上記目的を達成する第２の本発明の画像形成装置は以下に示す構成を備える。
ジョブを順に実行するジョブ処理装置であって、実行対象のジョブの中断要因が発生した場合に、前記ジョブの中断要因が解消していない状態が所定時間継続したかどうかを判定する判定手段と、前記判定手段によって前記ジョブの中断要因が解消していない状態が所定時間継続したと判定された場合に、前記ジョブに後続する後続ジョブを前記ジョブに優先して実行するジョブ実行手段と、前記ジョブの中断要因の解消に関する所定の動作を実行しているかどうかを判断する判断手段とを有し、前記ジョブ実行手段は、前記判断手段が前記ジョブの中断要因の解消に関する所定の動作を実行していると判断した場合には、前記後続ジョブを優先して実行しないことを特徴とする。
【手続補正３】
【補正対象書類名】明細書
【補正対象項目名】００１８
【補正方法】変更
【補正の内容】
【００１８】
また、ＲＡＭ２０８は、シート処理装置２００に関する情報（画像形成装置１００に接続されたシート処理装置２００の台数（０からｎ台）と、各シート処理装置２００の機能に関する情報、また、各シート処理装置２００の接続順序等）を記憶する。
ＨＤＤ（ハードディスクドライブ）２０９は、ハードディスクとハードディスクへのデータの読み書きを行う駆動部等で構成される。ＨＤＤ２０９は、スキャナ部２０１や外部Ｉ／Ｆ２０２から入力され、圧縮伸張部２１０によって圧縮された画像データを蓄積する為の大容量の記憶装置である。ＨＤＤ２０９は後述するフローチャートの各種処理を制御部２０５に実行させる為のプログラムや、各種設定画面を表示するために必要な表示制御プログラムを記憶していてもよい。